(57)【要約】  【課題】  定期点検を任意に操作指示することができると共に、間違った定期点検の操作を未然に防げる照明装置を提供する。  【解決手段】  通常時には商用電源にてランプを点灯させ、非常時には非常用電源のバッテリ２３にてランプを点灯させる照明装置１１において、バッテリにてランプの点灯点検を行うための点検スイッチ２０が所定時間操作されると、バッテリにて事前に設定されている期間ランプを点灯させて点検する定期点検のスタンバイ状態としてランプモニタ２１と充電モニタ２２を点滅パターン１で点滅させ、その定期点検のスタンバイ状態から所定時間内に点検スイッチ２０が再度操作されると定期点検の動作状態としてランプモニタ２１と充電モニタ２２を点滅パターン２で点滅させる定期点検を実行させる照明装置。  【選択図】  図１
2006092804.tif 000002
【特許請求の範囲】
【請求項１】
通常時には商用電源からの電力にてランプを点灯させ、非常時には非常用電源からの電力にてランプを点灯させる照明装置において；
前記非常用電源からの電力にてランプの点灯点検を行うための点検スイッチと；
この点検スイッチが所定時間操作されると、非常用電源からの電力にて所定期間前記ランプを点灯させて点検する定期点検のスタンバイ状態とし、その定期点検のスタンバイ状態から所定時間内に前記点検スイッチが再度操作されると定期点検の動作を開始する点灯点検手段と；
この点灯点検手段の前記定期点検のスタンバイ状態と、前記定期点検の動作状態とをそれぞれ表示する表示手段と；
を具備することを特徴とした照明装置。
【請求項２】
前記表示手段は、ランプの異常を検出して点灯するランプモニタ用のＬＥＤ素子と、非常用電源の充電時に点灯する充電モニタ用のＬＥＤ素子からなり、前記点灯点検手段の前記定期点検のスタンバイ状態と前記定期点検の動作状態とを前記ランプモニタ用と充電モニタ用のＬＥＤ素子の点滅状態を異ならせて表示させることを特徴とした請求項１記載の照明装置。
【請求項３】
前記点灯点検手段は、前記定期点検のスタンバイ状態において所定時間内に前記点検スイッチの再度の操作が行われない場合、または、前記定期点検の動作状態において前記点検スイッチが再度操作された場合、前記商用電源からの電力にてランプを点灯させる通常点灯に移行させることを特徴とした請求項１記載の照明装置。
【請求項４】
前記点灯点検手段は、前記定期点検の動作状態において前記非常用電源の電力による定期点検の動作を維持できなくなった場合、前記商用電源からの電力にてランプを点灯させる通常点灯に移行させることを特徴とした請求項１記載の照明装置。
【発明の詳細な説明】
【技術分野】
【０００１】
この発明は、通常時には商用電源からの電力にてランプを点灯させ、非常時には非常用電源からの電力にてランプを点灯させる照明装置において、所定期間非常用電源からの電力にてランプ点灯させる定期点検を任意に実施することができる照明装置に関する。
【背景技術】
【０００２】
従来、非常時に避難路や非常口を照明する誘導灯や非常灯などの照明装置は、非常用電源が内蔵されて、通常時は商用電源からの電力にてランプを点灯させ、非常時は非常用電源からの電力にてランプを点灯させるようになっている。
【０００３】
この誘導灯や非常灯の照明装置は、非常状態が生じた際に、非常用電源にて点灯維持できるか点灯点検することが法的に義務づけられている。この法的な点灯点検は、２０分間、または６０分間強制的に非常用電源からの電力にてランプを点灯させて非常用電源、ランプ、及び点灯回路等の状態点検を、３ヶ月または６ヶ月毎に実施することが定められている（以下、定期点検と称する）。
【０００４】
また、定期点検以外に、商用電源からの電力によるランプ点灯状態から非常用電源からの電力によるランプ点灯に一時的に切り換えて、非常用電源によるランプ点灯を確認点検する一時点検も行うこともある。
【０００５】
これら定期点検と一時点検のために、定期点検用のスイッチと一時点検用スイッチがそれぞれ設けられ、それらスイッチを操作することで定期点検と一時点検を行っている照明装置もある。また、１つの点検スイッチを設け、この１つの点検スイッチのオンさせる期間により定期点検と一時点検の操作させている照明装置もある。
【０００６】
この１つの点検スイッチの場合、定期点検時には、点検スイッチを定められた期間の間オンさせ続ける必要があるために、例えば、点検スイッチに重りを取り付けてオン状態を維持させている。
【０００７】
また、点検スイッチに重りを取り付けられない場合、あるいは、点検スイッチへの重りの取付や取り外しが煩雑であるため、点検スイッチを所定の時間以上オン状態とすると、その点検スイッチの所定時間以上のオン状態を検知して定期点検の動作を行わせるシーケンスを内蔵させた非常用照明装置が、例えば、特許文献１に提案されている。
【特許文献１】特開平８−１８５９８７号公報
【発明の開示】
【発明が解決しようとする課題】
【０００８】
上記特許文献１に提案されている非常用照明装置は、点検スイッチをオンさせている時間により一時点検と定期点検を使い分けるもので、点検スイッチが所定時間以上オン状態であることが検出されると、定期点検用のシーケンスが駆動して、定期点検動作が実施されるようになっている。
【０００９】
このような非常用照明装置において、点検スイッチを操作して一時点検と定期点検を行う際に、点検スイッチの操作してオンさせている時間に注意を図らなければならない。しかし、作業員は、一時点検のつもりで点検スイッチを操作して非常用電源からの電力によるランプの点灯確認の際に、不用意に長時間点検スイッチをオンさせてしまうことがある。つまり、点検スイッチが操作された時点は一時点検状態となり、その点検スイッチが所定時間以上オンされていることを検出されると、定期点検用シーケンスが駆動して、定期点検の動作が開始される。このために、作業員が意図していないにも拘わらず、定期点検動作が実施され、この定期点検への動作移行は、ランプの点灯状態を見る限りは何ら変化はないために作業員は不用意な操作を行ったことに気づかないことが多い。
【００１０】
この非常用照明装置は、非常用電源の充電動作状態や、寿命末期等の異常状態を示すバッテリモニタは設けられているが、前述した作業員の不用意な操作により意図していない定期点検の動作が実施された場合の作業員に対して告知する手段は開示されない。
【００１１】
本発明は、このような事情に鑑みてなされたもので、作業員により定期点検を任意に操作指示することができると共に、間違った定期点検の操作を未然に防げる照明装置を提供することを目的としている。
【課題を解決するための手段】
【００１２】
請求項１の発明の照明装置は、通常時には商用電源からの電力にてランプを点灯させ、非常時には非常用電源からの電力にてランプを点灯させる照明装置において、前記非常用電源からの電力にてランプの点灯点検を行うための点検スイッチと；この点検スイッチが所定時間操作されると、非常用電源からの電力にて所定期間前記ランプを点灯させて点検する定期点検のスタンバイ状態とし、その定期点灯点検のスタンバイ状態から所定時間内に前記点検スイッチが再度操作されると定期点検の動作を開始する点灯点検手段と；この点灯点検手段の前記定期点検のスタンバイ状態と、前記定期点検の動作状態とをそれぞれ表示する表示手段と；を具備することを特徴としている。
【００１３】
請求項２の発明の照明装置は、請求項１の発明の照明装置において、前記表示手段は、ランプの異常を検出して点灯するランプモニタ用のＬＥＤ素子と、非常用電源の充電時に点灯する充電モニタ用のＬＥＤ素子からなり、前記点灯点検手段の前記定期点検のスタンバイ状態と前記定期点検の動作状態とを前記ランプモニタ用と充電モニタ用のＬＥＤ素子の点滅状態を異ならせて表示させることを特徴としている。
【００１４】
請求項３の発明の照明装置は、請求項１の発明の照明装置において、前記点灯点検手段は、前記定期点検のスタンバイ状態において所定時間内に前記点検スイッチの再度の操作が行われない場合、または、前記定期点検の動作状態において前記点検スイッチが再度操作された場合、前記商用電源からの電力にてランプを点灯させる通常点灯に移行させることを特徴としている。
【００１５】
請求項４の発明の照明装置は、請求項１の発明の照明装置において、前記点灯点検手段は、前記定期点検の動作状態において前記非常用電源の電力による定期点検の動作を維持できなくなった場合、前記商用電源からの電力にてランプを点灯させる通常点灯に移行させることを特徴としている。
【００１６】
本発明において用語の定義及び技術的意味は次による。
【００１７】
照明装置は、通常時には商用電源からの電力にてランプを点灯させ、非常時には非常用電源からの電力にてランプを点灯させる避難経路や非常口などに設置される誘導灯器具や非常灯器具等である。
【００１８】
この照明装置は、ランプ、非常用電源、通常時は商用電源からの電力にて前記ランプを点灯させ、非常時は前記非常用電源からの電力にて前記ランプを点灯させる点灯回路、及び前記ランプと非常用電源及び点灯回路等の点検を行う点検スイッチからなっている。
【００１９】
ランプは、照明光が放射されるもので、電球、放電灯、ＬＥＤ等のいずれでも良い。点灯回路は、通常時は商用電源からの電力により前記ランプを点灯させ、非常時に商用電源からの電力が遮断された際に、その商用電源からの電力遮断を検出して、非常用電源からの電力にて前記ランプを点灯させると共に、通常時に非常用電源を充電するための充電回路を有している。また、この点灯回路には、ランプの異常を検出してランプ異常状態を示す表示と、通常時の非常用電源の充電動作状態を示す表示を行うためのＬＥＤ素子を駆動させる表示機能も有している。
【００２０】
点検スイッチは、点灯回路に対して、通常時の商用電源からの電力によるランプ点灯状態から、強制的に非常用電源の電力にてランプを点灯させて、特に、非常用電源の状態と寿命を点検するための動作を指示するものである。この点検スイッチを操作することで、一時的な非常用電源による点灯点検と、法的に定められた事前設定された期間の非常用電源による点灯点検の定期点検を任意に実施させるものである。
【００２１】
点灯点検手段は、点検スイッチの操作に応じて、一時的点灯点検や定期的点灯点検のために点灯回路の動作を制御するシーケンスが内蔵されている。このシーケンスには、特に、点検スイッチが所定時間以上操作されたことを検出すると定期点検のスタンバイ状態とし、そのスタンバイ状態から所定の時間内に点検スイッチが再度操作されたことを検出すると定期点検シーケンスを駆動させて、定期点検動作を実行させる。
【００２２】
表示手段は、前記点灯点検手段が定期点検のスタンバイ状態と、そのスタンバイ状態後の定期点検の動作状態を表示するためのものであり、表示方法は特に限定しない。
【００２３】
請求項３に記載の前記点灯点検手段は、定期点検スタンバイ状態から所定時間内に点検スイッチの再度の操作が検出されない場合、または、定期点検動作状態において点検スイッチが再度操作された場合は、定期点検スタンバイ状態を解除、または定期点検動作状態を解除して通常の商用電源による点灯状態とするシーケンスを有している。
【００２４】
請求項４に記載の前記点灯点検手段は、定期点検の動作状態における事前設定されている期間内非常用電源からの電力による点灯維持ができない場合、商用電源からの電力による点灯に切り換えるシーケンスを有している。
【発明の効果】
【００２５】
本発明の照明装置は、作業員による任意の定期点検の操作指示を認識可能となり、誤操作が確実に防止できる。また、作業員が無意識に点検スイッチを長時間操作して定期点検スタンバイ状態となっても、そのスタンバイ状態から所定時間内に点検スイッチが再度操作されないと商用電源による点灯への移行ができることから不要な定期点検の動作を防止できる効果を有している。
【発明を実施するための最良の形態】
【００２６】
以下、図面を参照して本発明の実施の形態について詳細に説明する。本発明の一実施形態である照明装置の全体概略構成について、図１を用いて説明する。誘導灯や非常灯である照明装置１１は、商用電源１０からの交流電源を直流電源に整流し、その直流電源を平滑する整流・平滑回路１２、この整流・平滑回路１２にて整流平滑された直流電源を所定の電圧値の直流電圧を生成して出力するＤＣ／ＤＣスイッチング回路１３、このＤＣ／ＤＣスイッチング回路１３から出力された所定の電圧値の直流電源により非常用電源であるバッテリ２３を充電するバッテリ充電回路１４、このバッテリ２３からの電力をランプ点灯電力として供給する切換回路１５、前記ＤＣ／ＤＣスイッチング回路１３からの所定の電圧値の直流電源によりランプを点灯させるプッシュプルインバータ回路１６、このプッシュプルインバータ回路１６により点灯されるランプ１７、前記ＤＣ／ＤＣスイッチング回路１３からの所定の電圧値の直流電力がダイオード１９を介して供給されるマイクロプロセッサ１８、このマイクロプロセッサ１８に接続された点検スイッチ２０、前記マイクロプロセッサ１８にり点灯制御されるＬＥＤ素子からなるランプモニタ２１と充電モニタ２２からなっている。
【００２７】
なお、マイクロプロセッサ１８は、前記ＤＣ／ＤＣスイッチング回路１３、バッテリ充電回路１４、切換回路１５、及びプッシュプルインバータ回路１６の動作状態の監視、及び動作を制御すると共に、点検スイッチ２０の操作検知と、ランプモニタ２１と充電モニタ２２の点灯制御を行う。
【００２８】
このような構成の照明装置１０は、通常時は、商用電源１０からの交流を整流・平滑回路１２において整流平滑し、かつ、ＤＣ／ＤＣスイッチング回路１３にてバッテリ充電用、プッシュプルインバータ回路１６を介してランプ１７を点灯させる点灯用、及びマイクロプロセッサ１８を駆動させる駆動用の直流電源が生成出力される。このＤＣ／ＤＣスイッチング回路１３からのバッテリ充電用の直流電源によりバッテリ充電回路１４を介してバッテリ２３の充電を行い、点灯用の直流電源によりプッシュプルインバータ回路１６を介してランプ１７を点灯させ、駆動用の直流電源によりマイクロプロセッサ１８を駆動させる。
【００２９】
この照明装置１１は、商用電源１０からの電力にてランプ１７を点灯させている状態において、非常事態が生じて、商用電源１０からの電力が遮断されると、マイクロプロセッサ１８は、その商用電源１０の遮断を検知して、切換回路１５を切り換えて、バッテリ２３からの電力をプッシュプルインバータ回路１６に供給させてランプ１７を点灯維持させると共に、マイクロプロセッサ１８自体もバッテリ２３からの電力により駆動する。
【００３０】
また、商用電源１０からの電力供給が回復すると、商用電源１０の回復を検知してマイクロプロセッサ１８は、切換回路１５を切り換えて、バッテリ２３からのプッシュプルインバータ回路１６への電力供給を停止させ、商用電源１０からの電力の基で、整流・平滑回路１２とＤＣ／ＤＣスイッチング回路１３において生成された直流電源によりランプ１７の通常点灯と、バッテリ充電回路１４の充電動作を行わせると共に、マイクロプロセッサ１８自体も駆動用直流電源により動作する。なお、マイクロプロセッサ１８は、バッテリ充電回路１４の動作を検出して、バッテリ２３の充電動作の間は、充電モニタ２２を点灯させる。またマイクロプロセッサ１８は、プッシュプルインバータ回路１６からランプ１７へ供給されているランプ電流によりランプ２１の断線を検出し、ランプ１７の断線が検出されるとランプモニタ２１を点灯させて表示させる。
【００３１】
このマイクロプロセッサ１８には、前述した非常事態による商用電源の遮断時のバッテリ２３による点灯制御や商用電源の回復時のバッテリ点灯から商用電源による点灯への切換制御と、バッテリ２３の充電動作の検知表示と、及びランプ１７の断線の検知表示以外に、本発明に係る定期点検を含む点灯点検の制御を点検スイッチ２０の操作にて行うシーケンスを有している。
【００３２】
この点灯点検のシーケンスについて説明する。前述したように、点灯点検には、非常用電源であるバッテリ２３からの電力にてランプ１７を一時的に短時間点灯させる一時点検と、事前に設定された所定期間点灯させる法的に義務づけられた定期点検とがある。なお、これら点灯点検は、点検スイッチ２０の操作により実行されるもので、点検スイッチ２０は、押下、または引き下げるとオン状態となり、押下また引き下げを解除するとオフ状態となるスイッチであるが、本発明の実施形態の説明において、押下させるとオンし、押下を解除するとオフ状態となるスイッチを例に説明する。
【００３３】
この点灯点検の一時点検のシーケンスは、点検スイッチ２０が押下オンされると、マイクロプロセッサ１８は、その点検スイッチ２０の押下オンを検出し、ＤＣ／ＤＣスイッチング回路１３からの直流電源出力を停止させて、バッテリ２３からの電力をプッシュプルインバータ回路１６へ供給するように切換回路１５を切り換えて、ランプ１７をバッテリ２３からの電力で点灯させる。点検スイッチ２０の押下オンが解除されると、マイクロプロセッサ１８は、ＤＣ／ＤＣスイッチング回路１３を動作させると共に、切換回路１５をバッテリ２３からの電力の供給を停止させて、通常の商用電源１０にるランプ１７の点灯に戻すようになっている。つまり、この一時点検は、点検スイッチ１７が押下オンされている期間、バッテリ２３からの電力にてランプ１７が点灯される。
【００３４】
従って、点検スイッチ２０の操作オン状態を定期点検の事前に設定されている所定期間継続維持させると、定期点灯点灯が可能となるが、前述したように点検スイッチ２０の押下オンを継続させる煩雑な作業と、一時点検と定期点検の誤操作が生じる。
【００３５】
そこで、本発明は、点検スイッチ２０を予め設定した時間押下オンさせことにより定期点検の実施を行うためのスタンバイ状態とし、そのスタンバイ状態から予め設定した時間内に点検スイッチ２０を再度押下オンさせることで定期点検の動作が開始されるようになっている。
【００３６】
このような、本発明に係る定期点検のシーケンスについて、図２を用いて説明する。照明装置１１が商用電源１０からの電力にてランプ１７が点灯されている通常点灯のモード（ステップＳ１）において、マイクロプロセッサ１８は、点検スイッチ２０の状態を監視して、点検スイッチ２０が押下されたか判定する（ステップＳ２）。このステップＳ２にて、点検スイッチ２０が押下されたと判定されたと判定されると、切換回路１５を切り換えて、バッテリ２３からの電力にてランプ１７を点灯させるバッテリ点灯切換であるか確認判定する（ステップＳ３）。このステップＳ３のバッテリ点灯切換の確認判定の結果、バッテリ点灯切換ではないと判定されると、点検スイッチ２０の押下オン状態が継続されているか判定する（ステップＳ４）。このステップＳ４にて点検スイッチ２０の押下オンが継続していると判定されると前記ステップＳ３に戻り、点検スイッチ２０の押下オンが継続されてないと判定されると、通常点灯モードに戻る（ステップＳ５）。
【００３７】
前記ステップＳ３にて、点検スイッチ２０の押下オンによりバッテリ点灯切換であると判定されると、その点検スイッチ２０は、事前に設定されている時間であるｔ１秒間継続されて押下オンされているか判定される（ステップＳ６）。このステップＳ６の判定の結果、点検スイッチ２０の押下オン時間がｔ１秒以内の場合は、点検スイッチ２０の押下オンが解除されたか判定する（ステップＳ７）。このステップＳ７の判定の結果、点検スイッチ２１の押下オンが解除されいると判定されると通常点灯モードに戻り（ステップＳ８）、点検スイッチ２０の押下オンが解除されていないと判定されると、前記ステップＳ６に戻る。
【００３８】
前記ステップＳ６にて、点検スイッチ２０の押下オンがｔ１秒継続したと判定されると、定期点検を行うための操作であると判断して、定期点検のスタンバイ状態として、ランプモニタ２１と充電モニタ２２のＬＥＤ素子を予め設定した点滅条件により点滅点灯させる。この定期点検スタンバイ状態を示すランプモニタ２１と充電モニタ２２のＬＥＤ素子の点滅パターン１により点滅させる（ステップＳ９）。このステップＳ９の定期点検のスタンバイ状態を示す点滅パターン１は、例えば、ランプモニタ２１と充電モニタ２２のいずれかを０．２秒オン、０．２秒オフさせたり、あるいは、ランプモニタ２１と充電モニタ２２を同時に０．２秒オン、０．２秒オフさせる等の点滅パターンである。
【００３９】
このステップＳ９の定期点検スタンバイ状態を示す点滅パターン１によるランプモニタ２１と充電モニタ２２の点滅が行われると、点検スイッチ２０の押下オンが解除されたか判定される（ステップＳ１０）。このステップＳ１０において、前記ステップＳ９にて定期点検スタンバイ状態を示すランプモニタ２１と充電モニタ２２が点滅点灯されているにも拘わらず、継続して点検スイッチ２０が押下オンされていると判定されると、その点検スイッチ２０の押下オン状態が事前に設定されている時間ｔ２秒継続しているか判定される。（ステップＳ１１）。つまり、点検スイッチ２０が前記ステップＳ６のｔ１秒を超えて、更に、ｔ２秒を超える時間押下オンされているか判定される。もし、点検スイッチ２０の押下オンがｔ２秒超えてないと判定されると、前記ステップＳ１０に戻る。前記ステップＳ１１にて、点検スイッチ２０の押下オンがｔ２秒間継続されて押下オンされていると判定されると、定期点検スタンバイ状態を中止して、ランプモニタ２１と充電モニタ２２の点滅表示を停止させる（ステップＳ１２）。このステップＳ１２の定期点検スタンバイ状態が中止されると、点検スイッチ２０の押下オンが解除されたか判定し（ステップＳ１３）、点検スイッチ２０の押下オンが解除されると通常点灯のモードに戻る（ステップＳ１４）。
【００４０】
前記ステップＳ１０にて、点検スイッチ２０の押下オンが解除された判定されると、定期点検を動作させるための点検スイッチ２０が再度押下オンされたか確認判定する（ステップＳ１５）。このステップＳ１５にて、点検スイッチ２０が再度押下オンされてないと判定されると、その点検スイッチ２０の再度押下オンされない状態が事前設定された時間ｔ３秒継続されているか判定される（ステップＳ１６）。このステップＳ１６にて、点検スイッチ２０が再度押下オンされない時間がｔ３秒継続してないとステップＳ１５に戻り、ｔ３秒継続していると定期点検は実行されないと判定されて通常点灯のモードに戻る（ステップＳ１７）。
【００４１】
前記ステップＳ１５にて、点検スイッチ２０が再度押下オンされたと判定されると、定期点検の動作の開始と判定して定期点検を開始すると共に、ランプモニタ２１と充電モニタ２２を点滅パターン２により点滅させて定期点検の動作状態を表示させる。この定期点検動作状態を示すランプモニタ２１と充電モニタ２２の点滅パターン２は、前述した定期点検スタンバイ状態の点滅パターン１と異なる点滅パターンとなるように、例えば、ランプモニタ２１を０．２秒オンしている間は充電モニタ２２を０．２秒オフさせ、ランプモニタ２１が０．２秒オフしている間は充電モニタ２２を０．２秒オンさせる等の交互にオン／オフさせる。
【００４２】
このステップＳ１８の定期点検の動作状態を示す点滅パターン２の点滅と共に、定期点検の動作が開始される。この定期点検の動作に当たり、プッシュプルインバータ回路１６にて検出されるランプ１７のランプ電流によりランプ１７の断線などによる不点灯状態であるは判定する（ステップＳ１９）。前記定期点検は、主として、バッテリ充電回路１４のバッテリ２３の寿命点検するものである。このために、一般的には、バッテリ２３から供給される電力を監視していることにより寿命判定している。
【００４３】
しかし、バッテリ２３は、ランプ１７の点灯電力とマイクロプロセッサ１８を駆動させる電力を供給するために、もし仮に、ランプ１７が断線してもマイクロプロセッサ１８がバッテリ２３の負荷として存在するために、そのマイクロプロセッサ１８に供給する電力によりバッテリ寿命判定されることとなり、バッテリ２３の正しい判定がなされない。
【００４４】
そのために、プッシュプルインバータ回路１６にて検出したランプ電流によりランプ１７の断線を検出した場合には、定期点検の動作の開始を停止させて、通常点灯のモードに戻す（ステップＳ２０）。
【００４５】
前記ステップＳ１９にて、ランプ１７の断線などによる不点灯が検出されないと判定されると、定期点検動作を開始するために、前記ステップＳ１５にて点検スイッチ２０を再度押下オンした状態から押下オンが解除されたか判定する（ステップＳ２１）。このステップＳ２１にて点検スイッチ２０の押下オンが解除されると定期点検動作が開始される。  このステップＳ２１の点検スイッチ２０の押下オン解除により定期点検の動作が実行されている状態において、その定期点検の動作を中止するために、点検スイッチ２０が再度押下オンされたか判定する（ステップＳ２２）。このステップＳ２２にて、定期点検動作状態において、点検スイッチ２０が再度押下オンされてないと判定されると、ステップＳ２１に戻り、点検スイッチ２０が再度押下オンされた判定されると、定期点検の動作状態を中止させて、定期点検の判定をキャンセルさせる（ステップＳ２３）。このステップＳ２３にて、定期点検動作による判定がキャンセルされると、通常点灯のモードに戻る（ステップＳ２４）。
【００４６】
以上説明したように、本発明の照明装置１０は、定期点検を行う際に、予め定め時間点検スイッチ２０を押下オンすると定期点検のスタンバイ状態とし、その定期点検のスタンバイ状態を知らしめるために、ランプモニタ２１と時誘電モニタ２２を点滅パターン１にて点滅させる。この定期点検のスタンバイ状態から予め定めた時間内に点検スイッチ２０が再度押下オンされると定期点検の動作状態となり、その定期点検の動作状態を知らしめるためにランプモニタ２１と充電モニタ２２を点滅パターン２にて点滅させる。前記定期点検のスタンバイ状態から予め設定された時間内に点検スイッチ２０が再度押下オンされないと定期点検のスタンバイ状態が解除される。
【００４７】
これにより、作業者が一般的点灯点検のつもりで点検スイッチ２０を操作した際に、比較的長時間押下してしまい予め設定された時間を超えて押下させた場合に、直ちに定期点検の動作状態にしないで、一旦定期点検のスタンバイ状態とし、かつ、スタンバイ状態をランプモニタ２１と充電モニタ２２を用いて点滅表示させることで、作業者には、操作の誤りを告知することが可能となる。また、その定期点検のスタンバイ状態から予め設定された時間内に点検スイッチ２０を再操作しないと定期点検の動作は実行されずに、通常点灯の状態へと戻るために、作業者の意図しない定期点検の実施を防ぐことが可能となる。更に、定期点検の動作状態に設定した際に、ランプ１７の不点灯状態を検出して定期点検の実施判定させることで、非常用電源であるバッテリ２３の負荷がマイクロプロセッサ１８のみとなる負荷の非常に軽い状態によるバッテリ寿命の判定を回避することができる。
【００４８】
さらに、本発明の実施形態の構成により、照明装置を作業者の意図しない状態にはし難いために、一時点検スイッチと定期点検スイッチとを共用することができるためにコストの増加を抑制できる。また、ランプ異常表示ＬＥＤとバッテリ充電表示ＬＥＤの点滅状態の組合せにて、外部から点灯モードの状態を確認できるために、特別な表示部を設ける必要がなくなる。さらにまた、照明装置の本体の下側にランプ異常表示ＬＥＤとバッテリ充電表示ＬＥＤが設けられているので、通常天井や壁などの高所に設置される誘導灯器具の作業員による点検操作の視認がしやすくなる。
【００４９】
ところで、前述した照明装置の定期点検は、所定の期間の間非常用電源であるバッテリ２３からの電力にてランプを点灯できるか点検するもので、バッテリ２３の寿命判定である。このために、バッテリ２３の寿命末期においては、定期点検の所定の期間内にバッテリの電力容量がなくなることがある。この場合は、バッテリの交換を告知すると共に、定期点検を中止して、商用電源からの電力にて点灯させる通常点灯に復帰させる必要がある。
【００５０】
このために、定期点検時にバッテリ２３の電圧を検出し、所定の電圧値以下となった際には、定期点検を中断させて商用電源からの電力にてランプを点灯させる通常点灯に切り換えさせるための強制復帰機能が必要となる。
【００５１】
この強制復帰機能を照明装置に設けることは、照明装置の点灯回路の構成を複雑にし、コストの上昇要因となる虞がある。このために、簡単な構成にて、定期点検時のバッテリ電圧の低下を検出すると共に、通常点灯に切換可能な照明装置が求められている。従って、簡単な構成にて、強制復帰機能を有する照明装置について、図３を用いて説明する。
【００５２】
この照明装置は、商用電源１０を直流に整流する整流回路２５、平滑コンデンサ２６の両端に設けられた変圧器２７の一次側と電源制御ＩＣ３５の直列回路、この電源制御ＩＣ３５の駆動を制御するフォトトランジスタ３０ａ、変圧器２７の二次側から異なる値の電圧を取り出すための第１のダイオード２８と第２のダイオード２９、この第１のダイオード２８と第２のダイオード２９の出力と変圧器２７の二次側の基端との間に設けられた第１の平滑コンデンサ３１と第２の平滑コンデンサ３２、第１のダイオード２８の出力と第１の平滑コンデンサ３１の接続点と変圧器２７の二次側の基端の間に設けられた抵抗３３と第４のダイオード３４及びバッテリ３５の直列回路、第２のダイオード２９の出力端と第２の平滑コンデンサ３２の接続点と変圧器２７の二次側の基端との間に設けられたインバータ回路１６、このインバータ回路１６により点灯されるランプ１７、第４のダイオード３４の出力端とバッテリ３５の接続点と第２のダイオード２９の出力端の間に設けられたスイッチングトランジスタ３６、第２のダイオード２９の出力端と第２の平滑コンデンサ３２の接続点に接続された第３のダイオード３７と第３の平滑コンデンサ３８の直列回路、この第３の平滑コンデンサ３８の両端に設けられたマイクロプロセッサ１８、第３のダイオード３７の出力端と第３の平滑コンデンサ３８の接続点とマイクロプロセッサ１８の間に設けられた抵抗３９とフォトダイオード３０ｂの直列回路、この抵抗３９とフォトダイオード３０ｂと並列に設けられた抵抗４０、及びこの抵抗４０とマイクロプロセッサ１８の接続点と第２の平滑コンデンサ３８の基準端の間に設けられた点検スイッチ２０からなっている。
【００５３】
変圧器２７と電源制御ＩＣ３５にて、前述したＤＣ／ＤＣスイッチング回路１３を構成している。この変圧器２７の二次側に接続された第１のダイオード２８、第１の平滑コンデンサ３１は、バッテリ３５の充電用電圧を整流平滑し、抵抗３３と第４のダイオード３４による充電回路にてバッテリ３５を充電する。第２のダイオード２９と第２の平滑コンデンサ３２は、インバータ回路１６を介して、ランプ１７を点灯する点灯電圧を整流平滑する。インバータ回路１６は、ランプ１７を点灯制御するもので、通常時は、第２のダイオード２９と第２の平滑コンデンサ３２からの電圧によりランプ１７を点灯させ、商用電源１０が遮断されて、第２のダイオード２９と第２の平滑コンデンサ３２の出力が遮断された際に、バッテリ３５からの電力にてランプ１７を点灯させる。
【００５４】
第３のダイオード３７と第３の平滑コンデンサ３８は、マイクロプロセッサ１８の駆動電位を生成する。フォトトランジスタ３０ａとフォトダイオード３０ｂは、フォトカプラを構成している。フォトダイオード３０ｂがオンするとフォトトランジスタ３０ａがオンして、電源制御ＩＣ３５の駆動を停止させる。
【００５５】
マイクロプロセッサ１８は、商用電源１０が遮断されたり、または点検スイッチ２０が操作されるとバッテリ３５からの電力をインバータ回路１６に供給するようにスイッチングトランジスタ３６を制御したり、インバータ回路１６からランプ１７に供給されるランプ電流によりランプ１７の断線監視などの照明装置の各種制御と監視を行うものである。
【００５６】
このような構成の照明装置において、通常点灯時は、商用電源１０を整流平滑し、第１のダイオード２８と第１の平滑コンデンサ３１にて生成した電位によりバッテリ３５が充電され、第２のダイオード２９と第２の平滑コンデンサ３２にて生成された点灯電位によりインバータ回路１６を介してランプ１７が点灯され、かつ、第３のダイオード３７と第３の平滑コンデンサ３８にて生成された電位によりマイクロプロセッサ１８が動作している。この通常点灯時、マイクロプロセッサ１８は、スイッチングトランジスタ３６をオフとし、フォトダイオード３０ｂをオフされている。
【００５７】
通常点灯時から点灯点検を行う場合は、点検スイッチ２０を押下オンすると、その点検スイッチ２０の操作をマイクロプロセッサ１８が検出して、フォトダイオード３０ｂをオンさせる共に、スイッチングトランジスタ３６をオンさせる。このフォトダイオード３０ｂのオンによりフォトトランジスタ３０ａがオンして、電源制御ＩＣ３５の動作を停止されて、商用電源１０が遮断された状態となる。一方、スイッチングトランジスタ３６がオンされると、バッテリ３５からの電力が、このスイッチングトランジスタ３６を介してインバータ回路１６、及び第３のダイオード３７と第３の平滑コンデンサ３８を介してマイクロプロセッサ１８に印加され、そのバッテリ３５の電力によりランプ１７の点灯とマイクロプロセッサ１８が駆動される。
【００５８】
このマイクロプロセッサ１８に、前述したように、点検スイッチ２０の操作により定期点検の操作を検出して、定期点検を行っている際に、バッテリ３５の容量が消耗して電力がなくなると、ランプ１７が消灯すると共に、マイクロプロセッサ１８を駆動する電力もなくなるために、マイクロプロセッサ１８が不動作状態となる。マイクロプロセッサ１８が不動状態となるとフォトダイオード３０ｂとスイッチングトランジスタ３６はオフ状態となる。このフォトダイオード３０ｂがオフされると、フォトトランジスタ３０ａもオフ状態となり電源制御ＩＣ３５が再動作する。これにより商用電源１０を整流平滑した直流を基に、インバータ回路１６を介してランプ１７の点灯を再開すると共に、バッテリ３５の充電を行うことができる。
【００５９】
つまり、点灯点検時に、バッテリ３５の容量を常時監視することなく、バッテリ３５の容量が無くなることによるマイクロプロセッサ１８の動作も不能となることを利用して、フォトカプラ３０により電源制御ＩＣ３５を制御する簡単な構成にて、商用電源１０による通常点灯に速やかに復帰させることができる。
【００６０】
次に、この照明装置である照明器具としての外観と内部の構造について、図４を用いて説明する。なお、図４（ａ）は正面図、図４（ｂ）は右側面図、図４（ｃ）は下側面である。
【００６１】
この照明器具５０は、裏面、左右側面、及び上下側面が一体的に形成された略正方状の箱形状の筐体５１、この筐体５１の上面開口には、表示板６２が装着されるようになっている。この表示板６２は、後述するランプ６０から放射された光が導光される部材にて形成されると共に、表面には誘導路や非常口を示す表示が描かれている。この表示板６２の図中上面には、ランプカバー６１が設けられ、そのランプバー６１の内部にランプ６０が配置されるようになっている。
【００６２】
筐体５１の内部の図中の上部には、ランプ６０が配置され、そのランプ６０の図中左側の下側に端子台５９が設けられている。この端子台５９は、商用電源の電線が接続されると共に、後述する点灯ユニット５２に接続されている。筐体５１の内部のランプ６０が配置された下側の略中央部分に商用電源からの電線が挿通される電源線挿通孔５７が開口され、その電源線挿通孔５７の図中の左右に筐体５１を壁面に取付固定するための取付穴５８（なお、図の関係から右側の取付穴５８のみを示す）が設けられている。この筐体５１の内部のほぼ中央部分には、点灯ユニット５２が配置されている。この点灯ユニット５２は、図１を用いて説明したランプ１７、点検スイッチ２０、ランプモニタ２１、及び充電モニタ２２を除く整流回路・平滑回路１２からダイオード１９が内蔵され、あるいは、図３を用いて説明したランプ１７と点検スイッチ２０を除く整流回路２５から抵抗４０が内蔵されされている。この点灯ユニット２１と筐体５１は、接地端子５３を介して接地に接続されるようになっている。筐体５１の内部の図中の下側には、非常用電源であるバッテリ５４、点検スイッチ５５、及びこの点検スイッチ５５に接近した位置にランプモニタ用ＬＥＤ素子５６ａや充電モニタ用ＬＥＤ素子５６ｂが設けられている。筐体５１の下側の側面には、点検スイッチ５５を操作する操作部が露出し、ランプモニタ用ＬＥＤ素子５６ａと充電モニタ用ＬＥＤ素子５６ｂが露出されている。
【００６３】
このような構造の照明装置は、避難路を示す誘導灯器具、及び表示口を示す非常灯器具として、壁面に取付固定される。この壁面に取付固定された照明装置は、点灯点検する際には、筐体５１の下側面に露出している点検スイッチ５５を操作すると前述したように、点灯ユニット５２の設けられたマイクロプロセッサ１８の制御の基で、点灯点検が実行できる。また、この点灯点検の定期点検の際に、ランプモニタ用ＬＥＤ素子５６ａと充電モニタ用ＬＥＤ素子５６ｂの点滅点灯により定期点検のスタンバイ状態と定期点検の動作状態の認識が可能となる。また、ランプ６０の断線などの異常によるランプモニタ用ＬＥＤ素子５６ａの点灯と、バッテリ５４の充電時の充電用ＬＥＤ素子５６ｂの点灯によりそれぞれの状態を知ることができる。更に、ランプ６０やバッテリ５４の交換時には、ランプカバー６１と表示板６２を筐体５１から取り外すことで簡単に交換が可能となる。
【図面の簡単な説明】
【００６４】
【図１】本発明の一実施形態である照明装置の概略構成を示すブロック図。
【図２】本発明の一実施形態である照明装置の点灯点検の動作を説明するフローチャート。
【図３】本発明の他の実施形態である照明装置の概略構成を示すブロック図。
【図４】本発明に係る照明装置の構造を示し、図４（ａ）正面図、図４（ｂ）は右側面図、図４（ｃ）は下側面図。
【符号の説明】
【００６５】
１０  商用電源、１１  照明装置、１２  整流・平滑回路、１３  ＤＣ／ＤＣスイッチング回路、１４  バッテリ充電回路、１５  切換回路、１６  プッシュプルインバータ回路、１７  ランプ、１８  マイクロプロセッサ、１９  ダイオード、２０  点検スイッチ、２１  ランプモニタ、２２  充電モニタ、２３  バッテリ  。
【００６６】
代理人  弁理士  伊藤  進
【図１】
2006092804.tif 000003
【図２】
2006092804.tif 000004
【図３】
2006092804.tif 000005
【図４】
2006092804.tif 000006